(57)【要約】【課題】  現金自動取引装置の防犯機能の中で、装置に内蔵されている紙幣を使用不可にする為に、防盗インク噴射する機能や紙幣を切断する機能があるが、いずれも大掛かりな機構が必要であった。【解決手段】  インク貯留袋に穴をあけることにより、インクを紙幣に染み込ませるという簡便な機構を紙幣収納庫内に設けた。【効果】  装置全体、もしくは紙幣入出金機構を大幅改造することなく防犯性の高い装置を提供できる。また、実際に盗難を検知して、防盗インクにより紙幣収納庫が汚れた場合でも、紙幣入出金機構全体を取り替えるのではなく、紙幣収納庫の取替えのみで再利用可能となる。【選択図】  図５
2005190037.tif 000002
【特許請求の範囲】
【請求項１】
現金の取引を行う現金自動取引装置において、
取引における情報を表示し、操作を検知する操作部と、カードの読み取りを行うカード読取機構と、紙幣の入金又は出金を行う紙幣入出金機構と、前記装置への不正操作を検知する不正検知部と、制御部と有し、
前記紙幣入出金機構は、紙幣を判別する紙幣判別部と、紙幣を搬送する搬送路と、紙幣を立位姿勢で収納する収納庫とを有し、
前記収納庫は、立位姿勢で収納された紙幣の下面を支える底板の下方に、紙幣への着色を行う着色機構を備えたことを特徴とする現金自動取引装置。
【請求項２】
前記着色機構は、防犯液を貯留する貯留部と、該貯留部を突き刺す針とを有し、
前記制御部は、前記不正検知部の検知結果に応じて前記針により前記貯留部の防犯液を前記底板下方から上方に収納された紙幣に向かって押し出すことを特徴とする請求項１記載の現金自動取引装置。
【請求項３】
前記防犯液はインクであって、前記押し出し動作によって立位姿勢の紙幣の下面端部を着色することを特徴とする請求項２記載の現金自動取引装置。
【請求項４】
前記針は前記貯留部の下部に配置し、
前記針を稼動する可動部を有し、前記可動部によって前記針を前記貯留部の下方から上方に向かって押し上げることを特徴とする請求項２記載の現金自動取引装置。
【請求項５】
前記可動部は、前記制御部からの指示によって駆動するモータと、前記モータの駆動によって回転するカムと、前記カムの回転動作により前記針と共に上方に押し上げられる可動板とを含むことを特徴とする請求項４記載の現金自動取引装置。
【請求項６】
前記貯留部と前記針との間に保護板を配置し、
前記針は前記貯留部を突き刺す前に前記保護板に貫通された穴を開ける構成としたことを特徴とする請求項２記載の現金自動取引装置。
【請求項７】
前記着色機構は、防犯液を貯留する貯留部と、前記貯留部を突き刺す針と一体成形され、可動する可動板と、前記可動板をガイドする可動板ガイドと、前記針と可動板と間に設置された保護板とを有し、前記可動板と前記可動板ガイドとを密閉構造としたことを特徴とする請求項１記載の現金自動取引装置。
【請求項８】
前記着色機構は、前記可動板を前記稼動板ガイドに沿って上方に可動させ、前記可動板の前記針を前記貯留部に突き刺し、前記底板によって支えられた収納済み紙幣に防犯液を着色することを特徴とする請求項７記載の現金自動取引装置。
【請求項９】
前記不正検知部にバックアップ電源を供給するバックアップ電池を備えることを特徴とする請求項１記載の現金自動取引装置。
【請求項１０】
前記不正検知部は、前記装置の扉を異常に開くことを検知する扉開検知センサ、または前記装置の振動を検知する振動検知センサ、または焼き切りを検知する焼切検知センサの一部を含むことを特徴とする請求項１記載の現金自動取引装置。
【請求項１１】
前記振動検知センサは、一定時間における振動回数が所定以上のとき異常状態として検知することを特徴とする請求項１０記載の現金自動取引装置。
【請求項１２】
前記不正検知部を前記収納庫内に具備するとき、前記センサのうち、前記焼切センサ又は前記扉開検知センサの何れか一方又は両方を具備することを特徴とする請求項１０記載の現金自動取引装置。
【請求項１３】
前記装置の扉を正常に解錠したとき、前記不正検知部の検知を抑制する抑制手段を有することを特徴とする請求項１０記載の現金自動取引装置。
【発明の詳細な説明】
【技術分野】
【０００１】
本発明は、金融機関等に設置され、利用者の操作に応じて紙幣を入出金する等の取引を行う現金自動取引装置の防犯システムに関する。
【背景技術】
【０００２】
従来の現金自動取引装置への防犯技術は、例えば特許文献１に記載のものがある。これは現金自動取引装置に衝撃、熱、歪みを検知した際にインク噴射装置によりインクを紙幣へ噴射させ、犯人による盗難紙幣の使用を未然に防ぐものであった。特許文献２は紙幣を繰り出して使用するキャッシュボックスが不当な手段で開放されると、インクバッグに穴を開け、重力によりインクを滴下させる技術を開示する。また、特許文献３では紙幣カセット内の物品にマーキングする容器を設け、その容器に穴を開けるなどして物品にマーキングする技術を提案している。他に、防犯上、紙幣にインクを着色する文献として特許文献４，５，６も知られている。
【０００３】
【特許文献１】特開２０００−３２２６２５号公報
【０００４】
【特許文献２】特開平４−９８３８７号公報
【特許文献３】特表２００２−５１７０２８号公報
【特許文献４】特開平７−９７８７号公報
【特許文献５】特開２０００−３２０２４８号公報
【特許文献６】特開２０００−３２２６６７号公報
【発明の開示】
【発明が解決しようとする課題】
【０００５】
近年では、コンビニエンスストア向けや、店舗外等に現金自動取引装置が設置される機会が増えており、その環境に伴い現金自動取引装置自身を機械の使用にて丸ごと奪うような被害が増加している。
【０００６】
特許文献１は水平姿勢で紙幣を収納する金庫横にインク噴射装置を取り付けているため、全紙幣にインクを噴射するよう噴射の力を考慮する必要がある（インクは重力により下方向に垂れるため）。特許文献２は立位姿勢で紙幣を収納するカセット内部の上部にインクバッグを設けていることから、上下の向きを変えて破壊した場合にはインクが滴下されない、またはインクを重力によって滴下するのでインク漏れの危険もある（特許文献３も同様）。特許文献４は圧縮ガスを用いていることから紙幣全体に亘ってインクを着色するようなガスの調整が必要で、また機構的にも大掛かりになってしまう。特許文献５もノズルを収納ケース内の全体に配置する必要があり、ケース自体が大型化してしまう問題がある。また特許文献６もノズルを収納ケース内部の全体に配置し、またガスの圧力によってインクを付着する機構が必要であることから、装置の大型化なども問題がある。また水平姿勢で紙幣を収納するタイプのため、上記特許文献１のような問題も考えられる。
【０００７】
本発明は上述した少なくとも一部の問題を解決し、簡便な機構により導入コストも抑えられ、またインク漏れが発生した場合でも好適な防犯機構を備えた収納ボックス（カセット、収納部などとも言う）、または紙幣取扱装置、現金自動取引装置を提供することを目的とする。
【課題を解決するための手段】
【０００８】
上記課題を解決するため、本発明において、例えば、現金自動取引装置内もしくは紙幣収納庫に、破壊等の異常を検知する為の異常検知センサと、センサの信号を検知する警報装置を設け、紙幣収納庫内に防盗用のインクを貯留する袋と、警報装置に連動して可動する可動板と、インク貯留袋へ穴を開ける為の針と、防盗インク貯留袋と針を分割する為の保護板を設ける。
【発明の効果】
【０００９】
本発明により、インクと針と可動板と保護板という簡便な着色機構で防犯性の高い現金自動取引装置を提供することができる。また、着色機構を収納紙幣の下方に配置することで通常時にインク漏れがある場合でも対策できる。また、着色機構は密閉状態でインクを紙幣に押し付ける構造である為、重力に左右されずに紙幣へマーキングすることが可能である。
【００１０】
以下、図面に基づき本発明の実施形態を詳述する。
図１は現金自動取引装置（ＡＴＭとも言う）の外観図である。この現金自動取引装置は金融機関の店舗、店舗外、またはコンビニ等に設置される。通帳出入口１はエンドユーザが通帳を挿入し、印字結果を受取る口であり、装置内部には通帳貼付の磁気情報の読み取り、通帳への印字を実行する通帳機構がある。カード出入口２はエンドユーザが取引において使用する磁気カード（またはＩＣカード）の挿入口兼受取り口で、その内部にはカード情報の読み取りなどを行うカード読取機構を備える。紙幣入出金口３は、エンドユーザが紙幣を入金する時の受入口かつ紙幣出金、お釣返却時の渡し口である。この内部にも紙幣の搬送、鑑別、収納などを行う紙幣入出金機構（単に紙幣取扱装置とも言う）が具備されている。硬貨入出金口４は、エンドユーザが硬貨を入金する時の受入口かつ硬貨出金、お釣返却時の渡し口で、硬貨入出金機構によりそれらの処理が実行される。顧客操作パネル５は、取引画面の表示およびエンドユーザによる取引内容の入力を行う部位であり、顧客操作部とも言う。
【００１１】
図２は現金自動取引装置の内部ブロックの構成を示す図である。制御部２０１は各ユニット（各部、各機構）を全体的に制御する機能を有し、ＣＰＵ、メモリ等から主に構成されている。顧客操作部２０４は図１の顧客操作パネル５と同機能のもので、液晶表示パネルおよびタッチパネルで構成され、制御部２０１より指示されるエンドユーザへの情報を表示するとともに、タッチパネルから入力されるエンドユーザの取引情報を検出し（キー押下などで）、制御部２０１へ送る。インタフェース（Ｉ／Ｆ）部２０２は、制御部２０１と上位装置２０３との電気的な接続を行い、両者の通信を司る。カード読取機構２０５は、エンドユーザのカードを吸入し、磁気ストライプ（メモリ）の情報およびエンボスの画像を取得する。通帳機構２０６は挿入された通帳に取引内容を印字して返却する。硬貨入出金機構２０８は、入金した硬貨を計数し収納する。あるいはエンドユーザが出金した硬貨またはお釣として返却する硬貨を収納庫より繰り出しエンドユーザに渡す。
【００１２】
紙幣入出金機構２０７は、紙幣入出金口３より入金された紙幣を計数、鑑別し、装置内部に具備された収納庫に収納する（入金）。また操作部２０４より入力された金額に応じた紙幣を収納庫より繰り出し、入出金口３より出金する。後述するが、この紙幣入出金機構（紙幣入出金装置、紙幣取扱装置とも言う）が本発明の最も特徴とするユニットであり、紙幣にインクを着色する機構を備えている。
【００１３】
装置電源２０９はＡＣの商用電源２１５からユニット用のＤＣ電源を作り、装置内の各ユニットに供給する。バックアップ電池２１０は、ＡＣの商用電源が供給されなくなった場合の緊急用電源で、特に、警報装置２１１にバックアップ電源として供給する。警報装置２１１は、振動検知センサ２１２もしくは焼切検知センサ２１３もしくは扉開検知センサ２１４からの信号を受信し、異常を検知した際に、後述する紙幣入出金機構２０７内に具備されている可動板などを可動させる装置である。現金自動取引装置の電源を切った後に本装置の盗難を試みる場合、ＡＣ電源断中であっても警報装置２１１はバックアップ電池２１０によって電源を供給されることから、その振動、焼き切りなどの異常を検知することが可能となる。なお、通常の鍵を使用して扉を開閉した場合には扉開検知センサ２１４を解除する機構となっている。
【００１４】
ここで正当な操作処理と不正な操作処理とを説明する。なお、本操作の説明は不正行為を誘発することにもなるので、簡潔に説明する。金融機関の係員や保守員が本装置を操作する、つまり、装置内を保守する際は正当な鍵を使用して装置後面（又は前面）に設けられた扉の錠を解錠する。そして扉を開くがこれを扉開検知センサ２１４が検知し、紙幣にインクを着色してしまうのは好ましくない。そこで正当な鍵で扉を開放する場合は扉開検知センサの検知機構を抑止する、または解除する機能を備えている。また、地震などのように装置が振動する場合があることから、振動検知センサ２１２は振動を検知したら直ぐに警報するのではなく、一定時間に何回振動を検知したかをカウントするようなタイマ、カウント機構を備えたものが好ましい。一方、正当な鍵を使用しないで強制的に扉を開くような操作、一定時間に数回以上の装置を揺らすような操作、装置の筐体を焼くような操作では、各センサがその不正操作を検知し、警報装置２１１に伝え、最終的に収納されている紙幣へインクを着色する。
【００１５】
以上、現金自動取引装置に不正行為を検出する機能として各センサ２１２，２１３，２１４を具備する実施形態を説明したが、図３に示すように紙幣入出金機構２０７内の紙幣収納庫３０１内にセンサを取り付ける構造としても良い。この場合、紙幣収納庫３０１内に搭載するセンサは、焼切検知センサ２１３、扉開検知センサ２１４でよい。収納庫３０１は紙幣の補充、回収をするために保守員等が持ち運ぶため、振動検知センサ２１２を取り付けるのは望ましくないためである。紙幣収納庫３０１内にバックアップ電池２１０を具備し、紙幣収納庫３０１単独の場合でも警報装置２１１の動作が可能な構成となっている。警報装置２１１が動作するとモータ３０２が駆動して収納庫内に取り付けられたカムが回転し、紙幣にインクを着色可能である。なお、通常時の運用にあたってはバックアップ電池２１０を事前に取り外すことにより、紙幣に防盗インクをマーキングする動作を防ぐ構成が望ましい。また、図２と図３を共に併用することで、更に防犯を向上できる装置を提供することができる。各センサ、警報装置によって装置への不正を検出することから、まとめて不正検知部、異常検知部とも言う。
【００１６】
図４は現金自動取引装置の中で、本発明に関わる紙幣入出金機構２０７の構成を示す内部の側面図である。紙幣入出金機構２０７は、利用者が紙幣の投入・取り出しを行う入出金口３と、紙幣の判別を行う紙幣判別部４０１と、入金した紙幣を取引成立までの間、一旦収納する一時保管庫４０２と、各金種に応じて紙幣を収納する複数の紙幣収納庫３０１と、これら各ユニット間において紙幣を搬送する紙幣搬送路４０３とを有する。上述したとおり、この紙幣入出金装置は紙幣の入金処理、出金処理を図示しない制御部（ＣＰＵ、メモリ等から成る）により実行され、他に各収納庫に紙幣を装填、補充する処理、収納庫の紙幣を回収する処理、装置内の紙幣を計数などする精査処理なども実行する。
【００１７】
図５は紙幣入出金装置に具備された紙幣収納庫３０１の内部構成図を示す。図示するように収納庫３０１は多数枚の紙幣５０５を収納し、その収納方法は紙幣を立位姿勢で収納する。図４の搬送路４０３より搬送される紙幣は集積機構によって図示右側より集積され、スタックガイド５０９により支えられる。押板５０８は集積される紙幣に応じて矢印方向に動き、集積済み紙幣を支える。立位姿勢の紙幣５０５は底板５０６によってその下面が支える構造を採用する。一方、収納済みの紙幣を搬送路４０３に繰り出す場合、押板５０８によって矢印逆方向に力が働き、分離・操出機構によって図示右側から搬送路に繰り出される。なお、収納庫への紙幣の集積は上述の入金処理時、収納庫からの紙幣の繰り出しは出金処理時に制御部によって行なわれることは言うまでもない。
【００１８】
図５に示すように、底板５０６を境に上段には紙幣を収納する収納機構を、下段には紙幣にインクを着色するために着色機構が備わっている。着色機構は立位姿勢で収納される紙幣５０５に非常時にインクを着色する点、紙幣より上段に着色機構を配置するとインク漏れなどに対応できない点などを鑑み、紙幣の収納機構より下方に着色機構を配置している。
【００１９】
次に、この着色機構の動作、処理について説明する。なお、この着色機構の実行する処理等も紙幣入出金機構２０７の制御部が実行するものであるが、その説明は省略する。紙幣入出金機構２０７もしくは、紙幣収納庫３０１に取り付けられている振動検知センサ２１２（収納庫自身には備えない方が望ましい。図３参照）、焼切検知センサ２１３、扉開検知センサ２１４が異常を検知すると、警報装置２１１がそれら異常を検知する。この異常検出に応じてモータ３０２（収納庫内でなく、装置２０７内に設けても良い）が駆動する。このモータ駆動により、カム３０３は図５の矢印方向に回転駆動し、可動板５０４を押し上げる（後述の図７参照）。なお、図５では各センサおよび警報装置２１１などは図示していないが、これらは図３のように紙幣収納庫３０１内にあっても、図２のように現金自動取引装置内にあっても、更には紙幣入出金機構２０７内にあっても良く、また全て又は一部にあっても良い。
【００２０】
可動板５０４と可動板ガイド５０７とはすき間のない密閉構造のものとする。従って、可動板５０４がカム３０３によって押し上げられないにもかかわらず、紙幣５０５に着色するインクを貯留する防犯インク貯留袋５０３から例えインクが漏れても、収納庫３０１の下にある他の収納庫３０１にそのインク漏れを防ぐことができる。また、紙幣収納庫３０１を通常使用時に、誤ってインクが染み出すことのないよう、可動板５０４と一体成形された針５０１を覆うように、その上部に保護板５０２を有している。そしてその保護板５０２の上に防犯インク貯留部（またはインク貯留部、防盗インク貯留袋、または単に貯留部とも言う）５０３が置かれている。
【００２１】
保護板５０２の詳細図を図６に示す。この保護板５０２はプラスチック等で形成されており、複数の針５０１の位置にあわせて板の途中まで複数の穴が開けられている。その穴付近の構造も図示しているように、カム３０３が動作し、針５０１を押し上げた時に薄いプラスチック（膜）が破れる構成となっている。つまり、保護板には穴を具備するが通常又は異常時によって、貫通された穴又は貫通前の穴というように状態が変化する。
【００２２】
上述したように、防盗インク貯留袋５０３は保護板５０２上に置かれており、通常時はその保護板５０２には穴がないので（針５０１が貫通する前）、例えインクが漏れても下方にインクが垂れてしまうなどの問題も軽減できる。一方、異常検知時は図７に示すようにカム３０３の回転動作により可動板５０４と一体となっている針５０１によって保護板５０２に貫通された穴が開けられる。そのまま底板５０６まで可動板５０４が持ち上げられ、底板５０６に開けられている穴より防盗インクを押し出して紙幣５０５に染み込ませる。具体的には、立位姿勢で収納された紙幣の端部（底板と接触している面）に対してインクの着色が行われる。なお、底板５０６にもインクを染み込ませるための貫通された多数の穴が開けられている。
【００２３】
以上の着色機構の動作によっても異常時にはインクを紙幣に染み込ませることは可能であるが、更に効果のある形態として図７に示すように収納済みの紙幣５０５を動かす例もある。各センサ、警報装置により装置の異常を検知したとき、カム３０３と共に回転するスタックガイドローラ５１０を動作させ、スタックガイド５０９が紙幣５０５を押板５０８方向に押し込むと同時に、押板５０８のバネを緩める。これにより図５の紙幣５０５全体が図７のように収納庫中心に移動し、紙幣全体にインクを染み込ませやすくすることができる。このように、本例では異常時に収納済みの紙幣を移動させる移動手段を設けている。収納庫に紙幣を集積する集積機構、収納庫から紙幣を繰り出す繰出機構が搬送路４０３側（図面のガイド５０７の右側）にある。よって、その集積・操出機構を避けて、着色機構を底板５０６下部に設ける必要がある。つまり、収納済みの紙幣５０５は通常は図５のように搬送路側にあるので、上述のように移動手段によって収納庫中央付近に紙幣を移動させるのが好適である。
【００２４】
本実施形態では可動板５０４はカム３０３によって移動する構造としたが、ベルト等により可動する構成としてもよい。可動板とカム（又はベルト）との機能を可動部とも言う（モータを含めても可）。また、防盗インクの代わりとして、接着剤を貯留袋に入れてもよく、便宜上、これらを防犯液とも言う。
【００２５】
以上により現金自動取引装置を大幅改造することなく、簡易な着色機構等により装置に対する防犯を高めることができる。
【図面の簡単な説明】
【００２６】
【図１】現金自動取引装置の外観図
【図２】現金自動取引装置の構成
【図３】紙幣収納庫の構成
【図４】紙幣入出金機構の側面図
【図５】通常時の紙幣収納庫の側面図
【図６】保護板の構成
【図７】異常時の紙幣収納庫の側面図
【符号の説明】
【００２７】
１…通帳出入口，２…カード出入口，３…紙幣入出金口、４…硬貨入出金口，５…顧客操作パネル、２０１…制御部,２０２…インタフェース（Ｉ／Ｆ）部,２０３…上位装置、２０４…顧客操作部，２０５…カード読取機構，２０６…通帳出入機構、２０７…紙幣入出金機構，２０８…硬貨入出金機構、２０９…装置電源（ＡＣ／ＤＣ），２１０…バックアップ電池、２１１…警報装置，２１２…振動検知センサ、２１３…焼切検知センサ，２１４…扉開検知センサ、２１５…商用電源(AC)，３０１…紙幣収納庫、３０２…モータ、３０３…カム、４０１…紙幣判別部、４０２…一次保管庫，４０３…紙幣搬送路、５０１…針，５０２…保護板，５０３…防盗インク貯留袋、５０４…可動板，５０５…紙幣、５０６…底板，５０７…可動板ガイド、５０８…押板、５０９…スタックガイド、５１０…スタックガイドローラ、７０１…インク
【図１】
2005190037.tif 000003
【図２】
2005190037.tif 000004
【図３】
2005190037.tif 000005
【図４】
2005190037.tif 000006
【図５】
2005190037.tif 000007
【図６】
2005190037.tif 000008
【図７】
2005190037.tif 000009